(57)【要約】【課題】  アクイジションデータバッファを有効に活用することのできる波形測定器を提供する。【解決手段】  アナログ入力信号２０をディジタル信号に変換するＡＤ変換器２と、該ＡＤ変換器２からの波形データを記憶するディジタルメモリ３と，該ディジタルメモリ３から出力される過去の波形データを記憶するアクイジションデータバッファ１０とを具備する波形測定器において、前記ディジタルメモリ３に記憶される波形データから所定の条件に合致した波形データのみを前記アクイジションデータバッファ１０に記憶させる第１の判定回路１６を備えたことを特徴とする。【選択図】  図１
2010060501.tif 000002
【特許請求の範囲】
【請求項１】
アナログ入力信号をディジタル信号に変換するＡＤ変換器と、
該ＡＤ変換器からの波形データを記憶するディジタルメモリと，
該ディジタルメモリから出力される過去の波形データを記憶するアクイジションデータバッファとを具備する波形測定器において、
前記ディジタルメモリに記憶される波形データから所定の条件に合致した波形データのみを前記アクイジションデータバッファに記憶させる第１の判定回路
を備えたことを特徴とする波形測定器。
【請求項２】
前記アクイジションデータバッファに記憶された波形データの中から所望の波形データを読み出す第１のセレクタと、
前記ディジタルメモリ、または前記第１のセレクタを介してアクイジションデータバッファから読み出される波形データを選択的に出力する第１のスイッチと、
該第１のスイッチから出力される波形データを表示器に表示する信号処理回路と、
前記ディジタルメモリの記憶動作に関連して各部を制御する第１の設定データが予め格納される第１の設定データレジスタと、
前記アクイジションデータバッファに記憶される波形データに対応した第１の設定データを記憶する設定データバッファと、
前記第１のセレクタに連動して前記設定データバッファから対応した第１の設定データを読み出す第２のセレクタと、
前記第１の設定データレジスタ、または前記第２のセレクタを介して前記設定データバッファから読み出される第１の設定データを前記第１のスイッチと連動して駆動され各部に与える第２のスイッチと、
前記第１の判定回路に前記所定の条件を設定する第２の設定データが予め格納される第２の設定データレジスタと、
前記第１の判定回路の判定結果を入力として前記条件に合致した場合のみ前記第１の設定データレジスタの第１の設定データを読み出して前記設定データバッファに記憶させる第２の判定回路と、
を備えたことを特徴とする請求項１記載の波形測定器。
【請求項３】
前記第２の判定回路は、前記設定データバッファ内に設けられたことを特徴とする請求項２に記載の波形測定器。
【請求項４】
前記第１の判定回路は、前記アクイジションデータバッファ内に設けられたことを特徴とする請求項１乃至３のいずれかに記載の波形測定器。
【請求項５】
前記設定データレジスタに設定データを設定する入力操作／制御回路を備えたことを特徴とする請求項１乃至４のいずれかに記載の波形測定器。
【発明の詳細な説明】
【技術分野】
【０００１】
本発明はディジタルオシロスコープ等の波形測定器に関し，さらに詳しくは、アクイジションデータバッファ管理の改良に関する。
【背景技術】
【０００２】
図３は、従来の波形測定器の一例を示す、特許第２６７１６６２号公報の図１に記載されるディジタルオシロスコープの回路構成図である。図３において，アナログ入力信号２０は入力アンプ１に入力される。ＡＤ変換器２は、入力アンプ１の出力を入力し，後述するサンプルパルス発生器５から出力されるサンプリング信号で標本化し，その後量子化を行う。ディジタルメモリ３はＡＤ変換器２で標本化，量子化された出力データを波形データとして記憶する。なお，ディジタルメモリ３は後述するサンプルパルス発生器５から出力されるサンプリング信号により制御される。
【０００３】
アクイジションデータバッファ１０は、ディジタルメモリ３に接続され、ディジタルメモリ３に記憶される波形データを複数個、過去の波形データとして記憶する容量を有する。第１のセレクタ１４はアクイジションバッファ１０に接続され，記憶された複数の波形データの中から所望の波形データを読み出す。第１のスイッチ１２は一方の固定接点ａにディジタルメモリ３が接続され，他方の固定接点ｂには第１のセレクタ１４が接続され，可動接点が後述する信号処理回路７に接続される。
【０００４】
信号処理回路７は第１のスイッチ１２により選択されたディジタルメモリ３、または第１のセレクタ１４で選択されたアクイジションバッファ１０の、いずれかの波形データを入力とし，後述する設定データレジスタ６の設定データに基づいて表示データに変換する。表示器８は信号処理回路７で変換された表示データを波形として表示する。
【０００５】
トリガ検出回路４は入力アンプ１の出力を入力としてトリガ信号を出力する。サンプリングパルス発生器５は、トリガ検出回路４から出力されるトリガ信号を入力し，後述する設定データレジスタ６に格納されている設定データに応じてサンプリング信号を出力する。
【０００６】
設定データレジスタ６は後述する入力操作／制御回路９により各種設定データが設定される。入力操作／制御回路９は波形表示動作の制御やパネル操作に基づく入力，トリガ，データアクイジション，処理等に対する各種設定を行う。設定データバッファ１１は、設定データレジスタ６に接続され、アクイジションデータバッファ１０に記憶される波形データに対応した複数の設定データを常に記憶する容量を有する。第２のセレクタ１５は設定データバッファ１１から第１のセレクタ１４に連動して波形データに対応した設定データを読み出す。第２のスイッチ１３は、一方の固定接点ａに設定データレジスタ６が接続され，他方の固定接点ｂには第２のセレクタ１５が接続され，可動接点がサンプリングパルス発生器５及び信号処理回路７に接続される。
【０００７】
図３の装置の動作を次に説明する。通常動作状態においては第１のスイッチ１２および第２のスイッチ１３の可動接点は固定接点ａに接続される。この時，入力信号２０は入力アンプ１を介して，ＡＤ変換器２及びトリガ検出回路４に入力される。ＡＤ変換回路２で標本化，量子化されたデータは波形データとしてディジタルメモリ３に記憶される。アクイジションデータバッファ１０にはディジタルメモリ３に新しい波形データが記憶される度に直前の波形データが記憶され，その結果として常に複数個の波形データが記憶された状態になる。
【０００８】
また，ディジタルメモリ３の波形データは信号処理回路７にも入力され，設定データレジスタ６からの設定データに基づいて表示データが作成され，表示器８で波形が表示される。ここで、設定データレジスタ６の設定データは入力操作／制御回路９による各種設定に基づいて設定される。
【０００９】
また，設定データバッファ１１にはディジタルメモリ３のデータがアクイジションバッファ１０に記憶される度に設定データレジスタ６の設定データが記憶される。以上の動作により，通常動作状態ではトリガ毎に波形データを表示器８に表示させることで観測でき，同時に過去の波形データをアクイジションデータバッファ１０に，そのときの設定データを設定データバッファ１１に其々記憶することができる。
【００１０】
アクイジションデータバッファ１０の過去の波形データを読み出す場合は第１のスイッチ１２および第２のスイッチ１３の可動接点は固定接点ｂにそれぞれ接続される。第１のセレクタ１４でアクイジションバッファ１０から読み出す波形データが選択され，第２のセレクタ１５で、第１のセレクタ１４で読み出す波形データに対応した設定データが設定データバッファ１１より選択され、読み出される。即ち，信号処理回路７には第１のセレクタ１４を介してアクイジションデータバッファ１０に記憶された波形データが読み出され，これと対応して、サンプルパルス発生器５及び信号処理回路７には第２のセレクタ１５を介して設定データバッファ１１に格納されている設定データが与えられる。この動作により，通常は、波形データの記憶を意識することなく従来の波形測定器と同様に使用し，測定後に過去の波形データを見たい場合，使用者はスイッチを切り換えて所望の波形データを指定することにより，アクイジションデータバッファ１０のメモリサイズの範囲内の過去の波形データを読み出し表示させることができる。
【００１１】
波形表示装置に関連する先行技術文献としては次のようなものがある。
【００１２】
【特許文献１】特許  第２６７１６６２号公報
【発明の開示】
【発明が解決しようとする課題】
【００１３】
従来技術では，例えば測定対象がメモリである場合に、この被測定メモリ（図３になし）に対する書き込み制御信号をトリガとして被測定メモリのデータ線の波形データをアクイジションデータバッファ１０に貯めることができるが，その中で特定の条件，例えば信号のオーバーシュートがある値以上の波形データのみが必要な場合，アクイジションデータバッファ１０の中から必要な波形データを選択し，それ以外は不要データとして捨てることになる。すなわち，必要な波形データの捕捉に必ずしもアクイジションデータバッファ１０の記憶容量の全てが使用されないので、アクイジションデータバッファ１０を有効に活用できないことになる。
【００１４】
本発明はこのような課題を解決しようとするもので、アクイジションデータバッファを有効に活用することのできる波形測定器を提供することを目的とする。
【課題を解決するための手段】
【００１５】
このような課題を達成するために、本発明のうち請求項１記載の発明は、
アナログ入力信号をディジタル信号に変換するＡＤ変換器と、
該ＡＤ変換器からの波形データを記憶するディジタルメモリと，
該ディジタルメモリから出力される過去の波形データを記憶するアクイジションデータバッファとを具備する波形測定器において、
前記ディジタルメモリに記憶される波形データから所定の条件に合致した波形データのみを前記アクイジションデータバッファに記憶させる第１の判定回路
を備えたことを特徴とする。
【００１６】
請求項２記載の発明は、
請求項１記載の波形測定器において、
前記アクイジションデータバッファに記憶された波形データの中から所望の波形データを読み出す第１のセレクタと、
前記ディジタルメモリ、または前記第１のセレクタを介してアクイジションデータバッファから読み出される波形データを選択的に出力する第１のスイッチと、
該第１のスイッチから出力される波形データを表示器に表示する信号処理回路と、
前記ディジタルメモリの記憶動作に関連して各部を制御する第１の設定データが予め格納される第１の設定データレジスタと、
前記アクイジションデータバッファに記憶される波形データに対応した第１の設定データを記憶する設定データバッファと、
前記第１のセレクタに連動して前記設定データバッファから対応した第１の設定データを読み出す第２のセレクタと、
前記第１の設定データレジスタ、または前記第２のセレクタを介して前記設定データバッファから読み出される第１の設定データを前記第１のスイッチと連動して駆動され各部に与える第２のスイッチと、
前記第１の判定回路に前記所定の条件を設定する第２の設定データが予め格納される第２の設定データレジスタと、
前記第１の判定回路の判定結果を入力として前記条件に合致した場合のみ前記第１の設定データレジスタの第１の設定データを読み出して前記設定データバッファに記憶させる第２の判定回路と、
を備えたことを特徴とする。
【００１７】
請求項３記載の発明は、
請求項２に記載の波形測定器において、
前記第２の判定回路は、前記設定データバッファ内に設けられたことを特徴とする。
【００１８】
請求項４記載の発明は、
請求項１乃至３のいずれかに記載の波形測定器において、
前記第１の判定回路は、前記アクイジションデータバッファ内に設けられたことを特徴とする。
【００１９】
請求項５記載の発明は、
請求項１乃至４のいずれかに記載の波形測定器において、
前記設定データレジスタに設定データを設定する入力操作／制御回路を備えたことを特徴とする。
【発明の効果】
【００２０】
以上説明したことから明らかなように、本発明によれば、アナログ入力信号をディジタル信号に変換するＡＤ変換器と、該ＡＤ変換器からの波形データを記憶するディジタルメモリと，該ディジタルメモリから出力される過去の波形データを記憶するアクイジションデータバッファとを具備する波形測定器において、前記ディジタルメモリに記憶される波形データから所定の条件に合致した波形データのみを前記アクイジションデータバッファに記憶させる第１の判定回路を備えたことにより、アクイジションデータバッファを有効に活用することのできる波形測定器を提供することができる。
【発明を実施するための最良の形態】
【００２１】
以下本発明の実施の形態について図面を用いて詳細に説明する。
【００２２】
図１は本発明の実施の形態に係る波形測定器の一実施例を示す回路構成図である。図３と同じ部分は同一の記号を付して重複する説明は省略する。図３と異なる点は，図３の回路構成に，第１の判定回路１６，第２の設定データレジスタ１７，第２の判定回路１８を設けている点である。また図１の第１の設定データレジスタ６は図１の設定データレジスタ６と同一のものである。
【００２３】
第１の判定回路１６はディジタルメモリ３とアクイジションデータバッファ１０の間に接続され、ディジタルメモリ３に記憶された波形データを読み出し、アクイジションデータバッファ１０に記憶するかどうかを後述の第２の設定データレジスタ１７の設定に基づいて判定し，記憶する場合はディジタルメモリ３より読み出した波形データをアクイジションデータバッファ１０に書き込む。第２の設定データレジスタ１７には入力操作／制御回路９により判定用の設定データ（第２の設定データ。以下同じ。）が設定される。第２の判定回路１８は第１の設定データレジスタ６と設定データバッファ１１の間に接続され、第１の判定回路１６の判定結果を入力として、第１の判定回路１６が記憶する判定をした場合のみ第１の設定データレジスタ６の設定データ（第１の設定データ。以下同じ。）を読み出し，設定データバッファ１１に書き込む。
【００２４】
図１の装置の動作を次に説明する。ただし、図３と重複する説明は省略する。あらかじめ、入力操作／制御回路９から第２の設定データレジスタ１７に判定用の設定データが設定される。通常動作時には、第１の判定回路１６により記憶すると判定された波形データのみがアクイジションデータバッファ１０に記憶され、第２の判定回路１８により記憶すると判定された設定データのみが設定データバッファ１１に記憶される。
【００２５】
すなわち、第１の判定回路１６により記憶すると判定された波形データのみがアクイジションデータバッファ１０に記憶されるとともに、この波形データに対応した設定データのみが設定データバッファ１１に記憶される。
【００２６】
したがって、従来例のようにアクイジションデータバッファ１０の容量分の波形データから必要な分を取り出して残りを捨てる必要がないので，アクイジションデータバッファ１０のメモリサイズの全てを必要な波形データの記憶に用いることができる。
【００２７】
なお，第２の設定データレジスタ１７の設定に基づいて第１の判定回路１６がアクイジションデータバッファ１０へ記憶させるか否かの判定条件としては、ステップ応答のオーバーシュート量、立ち上がり時間，波形全体の平均値やＲＭＳ値等の波形パラメータ判定や，波形が表示領域のある領域に入っている／入っていない／過ぎる／過ぎらない等のゾーン判定が考えられるが，これらに限定されず、各種の複雑な条件に合致した波形データのみを収集することができる。
【００２８】
以上から明らかなように、上記のような構成の波形測定器によれば、アクイジションデータバッファ内の全ての波形データが有用なデータとなるので効率よく波形測定が行えるようになる。アクイジションデータバッファのメモリサイズが有限であることから，従来はアクイジションデータバッファ中の有用なデータのみを残して他は捨てており，アクイジションデータバッファのメモリサイズを有効に活用できず、効率が悪かった。
【００２９】
図２は図１の波形測定器の一変形例を示す回路構成図である。図１と同じ部分は同一の番号を付して重複する説明は省略する。図１と異なる点は、図１の回路構成にてアクイジションデータバッファ１０が、第１の判定回路１６を内蔵して、後述の判定機能付きのアクイジションデータバッファ１９に変更され，第２の設定データレジスタ１７がアクイジションデータバッファ１９に接続されている点である。
【００３０】
アクイジションデータバッファ１９はディジタルメモリ３の出力を入力し，第２の設定データレジスタ１７の設定データに基づいて、波形データを記憶するか否かの判定をして記憶する、判定機能付きのアクイジションデータバッファである。
【００３１】
図２の装置の動作は概ね図１と同じであるが，ディジタルメモリ３の波形データを記憶するか否かの判定が図１では第１の判定回路１６で行われるのに対し，図２ではアクイジションデータバッファ１９で行われる点と，これを受けて第２の判定回路１８が第１の判定回路１６からでなく、アクイジションデータバッファ１９から判定結果を入力する点が異なる。
【００３２】
図２の波形測定器によれば、構成をより単純化することができ、ブロック間の配線も減少するので、コスト節約となる。その他の特徴は図１の場合と同様である。
【００３３】
なお、図２において、第２の判定回路１８を設定データバッファ１１内に設けることにより、さらなる構成の単純化とコスト節約を図ることができる。
【図面の簡単な説明】
【００３４】
【図１】本発明の実施の形態に係る波形測定器の一実施例を示す回路構成図である。
【図２】図１の波形測定器の一変形例を示す回路構成図である。
【図３】従来の波形測定器の一例を示す回路構成図である。
【符号の説明】
【００３５】
２  ＡＤ変換器
３  ディジタルメモリ
６  第１の設定データレジスタ
７  信号処理回路
８  表示器
９  入力操作／制御回路
１０、１９  アクイジションデータバッファ
１１  設定データバッファ
１２  第１のスイッチ
１３  第２のスイッチ
１４  第１のセレクタ
１５  第２のセレクタ
１６  第１の判定回路
１７  第２の設定データレジスタ
１８  第２の判定回路
２０  アナログ入力信号
【図１】
2010060501.tif 000003
【図２】
2010060501.tif 000004
【図３】
2010060501.tif 000005